(57)【要約】      （修正有）【課題】市販されている各種袋類（例、スーパーのレジ袋など）を活用して、まず物品を袋内に収納し、この袋を蓋代わりとして容器内にさらに収納をすることにより、カバーあるいは蓋などといったものを用いなくとも活用できる容器を提供する。【解決手段】袋類を用い、袋の口片一方を閉じたり閉めたりし且、収納物品が容器外部に出なくするため、袋類の口部を紐などで括り、その紐を容器の外部まで伸ばして結ぶか、掛けるかなどをして止め、袋が外部へ出なくした。収納袋は容器内部に納まり、袋類がいかなる状態の場合においても外部へ落ちたり、動いたり出たりさせないがためのもので、さらに容器口内径の広い部分の一部へ接着部面（部分）を設ければ、別角度の解決方法として可能となる。【選択図】図３
0003156610.tif 000002
【実用新案登録請求の範囲】
【請求項１】
内部に袋を収納した容器であって、
前記袋内に物品を収納し、該袋の部分が
前記容器の蓋を兼ねることを特徴とする容器。
【請求項２】
内部に袋を収納した容器であって、
前記袋は内部に品物を収納した後、輪ゴム、ヒモ、フック状止具、あるいはテープを含む取付手段で前記袋の口に当る部分が閉じられて、
前記締付け手段の一端を利用して、前記容器に取付けられ、前記袋の部分が、前記容器の蓋を兼ねることを特徴とする容器。
【請求項３】
内部に提手部分を備えた袋を収納した容器であって、前記袋は内部に品物を収納し、前記袋の提手部分を前記容器の外部まで引き出して、前記袋を前記袋内に取付け前記袋の部分が、前記容器の蓋を兼ねることを特徴とする容器。
【考案の詳細な説明】
【技術分野】
【０００１】  本考案は、袋内に品物を収納したものを容器の蓋として用い、容器口を閉じて活用した容器に関するものである。
【背景技術】
【０００２】  円型の筒容器などにおいて（例メガホン、バット型等）物品を容器内に収納した場合に、筒型の形状上両端の口部分が開いた状態であるがため、物品が外に出てしまうので、別に蓋を必要としていた。公開実用新案公報  平１−１１４５８３
【考案の開示】
【考案が解決しようとする課題】
【０００３】  従来円筒容器などで蓋を容器口に用いる場合、容器の口部分に応じた蓋の形や種類、さらば口部分自体の形状など容器と蓋双方で複雑さが取付構造上も伴ってきた。【０００４】  分かりやすく言うならば、接着、カバー、蓋といった方法で物品が外に出ぬ様にクリアーしてきたわけである。こういったことのために材料、製品も必要であるだけでなく、年間労力、時間などを含めると製品の原価に跳ね返る経済的負担も量産する場合には大きな課題である。
【課題を解決するための手段】
【０００５】  従って本考案は、市販されている各種袋類（例、スーパーのレジ袋など）を活用して、まず物品を袋内に収納し、この袋を蓋代わりとして容器内にさらに収納をすることにより、容器の取付部分の複雑さや、カバーあるいは従前の蓋などといったものを用いなくとも解決させることを目的のための手段とした。【０００６】  そこでこのことを解決手段とする場合には、上述の袋類を用い、袋の口片一方を閉じたり閉めたりし且、収納物品が容器外部に出なくするため、袋類の口部を紐などで括り、その紐を容器の外部まで伸ばして結ぶか、掛けるかなどをして止める方法とし、袋が外部へ出なくすることを手段とした。【０００７】  上述のことを手段として活用するならば、収納袋は容器内部へ（容器口内側の内囲）に納まり、袋類がいかなる状態の場合においても外部へは落ちたり、動いたり出たりさせないがため考案したもで、さらに容器口内径の広い部分の一部へ接着部面（部分）を設ければ、別角度の解決方法として可能となる。【０００８】  また、製品を収納した袋を容器内へ納め、レジ袋の提手部分を外部へ引出し、直接容器の外側へ取付をすることもこの方法で解決される手段で、袋を応用することにより可能となる。
本考案は以上のような構成によりなる容器の蓋を収納袋に変えた容器である。
【考案の効果】
【０００９】  上述の課題を解決するための手段［０００６］から［０００８］までにおいて、いづれかの方法を用いるならば従来とは異なり、容器及び容器の蓋部分における簡素化、労力の合理化、部材減少などがはかられ、安価な製品作りが可能となり、製品原価に対する経済的効果もある。【００１０】  特にメガホンなどの塩ビ系及び石油製品原料材、または紙、ダンボールなどの容器においては、熱で一般常温でも夏場とか、製品容器を重ねたり、荷造りなどの保管状態で円型管が変形したりする。
また、変形したならば取付けを行なった蓋も変形を伴うこととなるので、こういった問題点をも防止される効果が袋であれば可能となるわけである。【００１１】  さらに、こういったレジ袋を蓋として活用した場合、容器内の袋から製品を取り出した後は消費者や利用者が袋自体を、今度はゴミ袋として応用活用される効果も生まれる。
【考案を実施するための最良の形態】
【００１２】  本考案は円筒状及び両口の開いた容器などにおいて、収納物袋を容器内に保持保管されんとしたとき、容器の両口は開いた状態であるから、外部に製品や物品が出たり落ちるといったことを防止する必要が生じるわけである上、両口双方を何らかの方法で防ぐか、閉じるか締ることをするヒモ類や蓋といったものが今度はさらに必要となる。【００１３】  そこで、製品自体を容器に収納せず、まず袋に製品を詰めてから容器に収納し、今度は用いた袋の口にあたる部分を輪ゴム、ヒモ、フック、テープ等にて閉じるが、収納する製品により応じた閉じ方をそれぞれの輪ゴム、ヒモ、フック、テープで行なう。【００１４】  次に閉じるために用いた輪ゴムなどでは、それを容器外部へ引き伸ばして取付けを行なう。【００１５】  このことにより両口が開いた容器では、容器の一端は収納する袋自体に物品を入れるため、太くなり容器口を（底を）防ぐこととなり閉じられる状態となる。
この側からは製品が外部へ出ず蓋となり閉じられる。さらにもう片方口部分は上述の様な閉材と方法を用いて閉めてある結果、この活用方法が両口の開いた円筒容器などでは蓋として最良の活用形態となる。
【実施例】
【００１６】  以下イメージ図面に従って一実施例を説明すると、メガホン容器などにおいて、記号１は両口の開いたメガホン本体であるが、記号２は目的とする口を閉じる蓋代わりに、製品を収納したレジ袋。
記号３は記号２の袋を閉じ締める輪ゴムヒモ、記号４は閉じた袋が容器外に取扱や、振動などで外部に出させないための記号３の輪ゴムヒモで袋を閉じた上で外部までゴムを引っ張り容器メガホン外部の首の部分へ輪ゴムヒモを掛けた状態を示す。【００１７】  本考案の一実施例は上記のごとき構成からなるもので、記号２〜４で行うことによりメガホン容器内に製品を物納するための蓋を別に設けることも不要となるし、安価で素早く簡単で合理的といえる。  また、さらに（例でいうならば）スポーツ観戦や室外レジャーで使用された場合、蓋であるべき袋が、後にはゴミ袋などにも活用され衛生上も一石二鳥の効果的役目を果たす考案である。
【図面の簡単な説明】
【００１８】
【図１】本考案に用いるレジ袋。
【図２】本考案に用いたレジ袋の物品（製品）を収納し、輪ゴムで袋口を閉めた状態から、輪ゴムを引き伸ばした状態を示す。
【図３】本考案のレジ袋をメガホン容器内部に収納し、輪ゴムのひも状を容器外部まで引き伸ばして、容器の首部分に掛止めをしメガホン容器の断面図で、容器内部へ物品（製品）を収納した状態を示す。
【符号の説明】１．  レジ袋。
２．  ゴム輪にてレジ袋を締めた状態を示す。
３．  ゴム輪を容器外部へ引き伸ばした状態を示す。
４．  容器（例、メガホン）。
５．  上記３のゴム輪を引き伸ばしたものを、記号４のメガホン容器の首に巻き、ゴム輪を掛けた状態を示す。
【図１】
0003156610.tif 000003
【図２】
0003156610.tif 000004
【図３】
0003156610.tif 000005
【手続補正書】
【提出日】平成21年10月8日(2009.10.8)
【手続補正１】
【補正対象書類名】実用新案登録請求の範囲
【補正対象項目名】全文
【補正方法】変更
【補正の内容】
【実用新案登録請求の範囲】
【請求項１】
内部に袋を収納した容器であって、
前記袋内に物品を収納し、該袋の部分が
前記容器の蓋を兼ねるよう容器口に位置することを特徴とする容器。
【請求項２】
内部に袋を収納した容器であって、
前記袋は内部に品物を収納した後、輪ゴム、ヒモ、フック状止具、あるいはテープを含む取付手段で前記袋の口に当る部分が閉じられて、
前記締付け手段の一端を利用して、前記容器に取付けられ、前記袋の部分が、前記容器の蓋を兼ねるよう容器口に位置することを特徴とする容器。
【請求項３】
内部に提手部分を備えた袋を収納した容器であって、前記袋は内部に品物を収納し、前記袋の提手部分を前記容器の外部まで引き出して、前記袋を前記容器に取付け前記袋の部分が、前記容器の蓋を兼ねるよう容器口に位置することを特徴とする容器。